(57)【要約】【課題】  ゼンマイバネを用いたドアクローザにおいて、簡単な構成でしかも容易な操作で任意のバネ力に調節可能な引戸用ドアクローザを提供することである。【解決手段】  本体ケースの表面と裏面とを貫通して回転自在に軸支される支軸３に、ゼンマイバネ４の一端を固着して巻回すると共に、前記支軸３の、前記本体ケースの表面から突出する一方の端部にカム板５を装着し、前記カム板５の回転を防止する係止手段を介して前記支軸３の回転を防止する構成とし、前記支軸３を軸方向の前後いずれかに移動して前記係止手段の係合を解除する構成とした。【選択図】    図１
0003114004.tif 000002
【実用新案登録請求の範囲】
【請求項１】
ゼンマイバネを内蔵するドラムに、一端を固着してワイヤを巻回し、前記ワイヤの自由端を引戸に接続して、開かれた引戸を前記ゼンマイバネのバネ力により閉止する構成のドアクローザであって、
本体ケースの表面と裏面とを貫通して回転自在に軸支される支軸に、前記ゼンマイバネの一端を固着して巻回すると共に、前記支軸の、前記本体ケースの表面から突出する一方の端部にカム板を装着し、前記カム板の回転を防止する係止手段を介して前記支軸の回転を防止する構成し、
前記支軸を軸方向の前後いずれかに移動して前記係止手段の係合を解除することで、前記支軸の回転を可能とすることを特徴とする引戸用ドアクローザ。
【請求項２】
前記支軸を押し込む方向に移動して前記係止手段の係合を解除する引戸用ドアクローザであって、前記カム板の外周部に複数の嘴状部を設け、該嘴状部に係合する爪部材と前記嘴状部とで前記係止手段を構成すると共に、前記カム板を備える前記本体ケースの表面に、前記カム板が収納可能な程度の陥没部を設け、前記支軸の前記本体ケースの表面と前記カム板の間にスプリング部材を装着して、前記カム板を前記陥没部から離間して支持する構成として、前記カム板を装着している支軸の一方の端部側を押し込むことで、前記爪部材が前記嘴状部から離反して前記係合を解除することを特徴とする請求項１に記載の引戸用ドアクローザ。
【請求項３】
前記支軸を引き出す方向に移動して前記係止手段の係合を解除する引戸用ドアクローザであって、前記本体ケースの表面と前記カム板の裏面とを密着して、前記本体ケースの表面に設ける凹部又は凸部と、前記カム板の裏面に設ける凸部又は凹部とを係合させると共に、前記支軸の他方の端部を前記本体ケースの裏面から突出し、この突出した端部にスプリング部材を装着して、前記支軸の他方の端部を前記本体ケースの表面に押圧することで前記支軸の回転を防止する構成としたことを特徴とする請求項１に記載の引戸用ドアクローザ。
【請求項４】
前記スプリング部材が皿バネであることを特徴とする請求項２または３に記載の引戸用ドアクローザ。
【請求項５】
前記カム板に把手部を設けて、前記把手部を把持して軸方向に移動することで、前記本体ケースと前記カム板との係合関係を解除する構成としていることを特徴とする請求項１から４のいずれかに記載の引戸用ドアクローザ。
【考案の詳細な説明】
【技術分野】
【０００１】  本考案は、引戸や扉等の自動閉塞などの用途に使われる引戸用ドアクローザに関するものである。
【背景技術】
【０００２】  従来、開扉されたドアを自動的に閉じるドアクローザとしては、油圧式のものが一般に使用されている。また、特に引戸に適用されるドアクローザとして、エアーダンパとスプリングを組合せた引戸用のドアクローザが知られている。このような公知のドアクローザでは、引戸の上部に固定され、引戸側の取付け部材と端部が係合されていて、引戸の開扉時には、スプリングを圧縮しながらエアーダンパの抵抗に抗して引戸が開扉され、開扉された引戸は、スプリングのばね力によりエアーダンパの抵抗に抗して閉扉されるようになっている。【０００３】  また、ゼンマイバネを使って引戸を自動的に閉じるドアクローザとして出力調整式ぜんまいユニットが既に出願されている（例えば、特許文献１参照）。【０００４】  さらに流体抵抗利用のダンパーとギアを用いて、少し速く閉じるようにしたり、逆にもっとゆっくり閉じるようにした速度調整式ぜんまいユニットも既に出願されている。（例えば、特許文献２参照）。
【特許文献１】            特開平１１−２４１５５８号公報（第１−３頁、第１図）
【特許文献２】            特開２０００−１３０００４号公報（第１−４頁、第１図）
【考案の開示】
【考案が解決しようとする課題】
【０００５】  ゼンマイバネを用いたドアクローザでは、その開閉力（バネ力）を調整するために、所定量ゼンマイバネを巻き込んだ状態にする必要がある。また、巻き込んだゼンマイバネの戻り回転を防止するために、ラチェットを用いている。【０００６】  さらに、一旦強力な開閉力にセットしたドアクローザのバネ力を少し弱くする際には、一旦所定量巻き込んだゼンマイバネを少し巻き戻して、所望される所定のバネ力に調整する必要がある。この際には、前記ラチェットを解除して、ゼンマイバネを所定量巻き戻した後で、再度ラチェットを係合させて固定している。【０００７】  しかし、一方の手でラチェットを解除しながら、他方の手でゼンマイバネを巻き戻す動作となり、予め強力に巻き込まれたゼンマイバネを片手で力を加減しながら巻き戻す操作は力を要し、誰でもできる容易な操作ではなかった。【０００８】  本考案の目的は、ゼンマイバネを用いたドアクローザにおいて、簡単な構成でしかも容易な操作で任意のバネ力に調節可能な引戸用ドアクローザを提供することである。
【課題を解決するための手段】
【０００９】  上記の目的を達成するために請求項１に係る考案は、ゼンマイバネを内蔵するドラムに、一端を固着してワイヤを巻回し、前記ワイヤの自由端を引戸に接続して、開かれた引戸を前記ゼンマイバネのバネ力により閉止する構成のドアクローザであって、本体ケースの表面と裏面とを貫通して回転自在に軸支される支軸に、前記ゼンマイバネの一端を固着して巻回すると共に、前記支軸の、前記本体ケースの表面から突出する一方の端部にカム板を装着し、前記カム板の回転を防止する係止手段を介して前記支軸の回転を防止する構成し、前記支軸を軸方向の前後いずれかに移動して前記係止手段の係合を解除することで、前記支軸の回転を可能とすることを特徴としている。【００１０】  上記の構成を有する請求項１に係る考案によれば、ゼンマイバネの一端が固着される支軸を、その軸方向に移動するという簡単な操作で、カム板の固定と回転を選択可能な引戸用ドアクローザとすることができる。【００１１】  請求項２に係る考案は、前記支軸を押し込む方向に移動して前記係止手段の係合を解除する引戸用ドアクローザであって、前記カム板の外周部に複数の嘴状部を設け、該嘴状部に係合する爪部材と前記嘴状部とで前記係止手段を構成すると共に、前記カム板を備える前記本体ケースの表面に、前記カム板が収納可能な程度の陥没部を設け、前記支軸の前記本体ケースの表面と前記カム板の間にスプリング部材を装着して、前記カム板を前記陥没部から離間して支持する構成として、前記カム板を装着している支軸の一方の端部側を押し込むことで、前記爪部材が前記嘴状部から離反して前記係合を解除することを特徴としている。【００１２】  上記の構成を有する請求項２に係る考案によれば、支軸を押し込むことでカム板を回転して、ゼンマイバネのバネ力を調整可能な引戸用ドアクローザとすることができる。【００１３】  請求項３に係る考案は、前記支軸を引き出す方向に移動して前記係止手段の係合を解除する引戸用ドアクローザであって、前記本体ケースの表面と前記カム板の裏面とを密着して、前記本体ケースの表面に設ける凹部又は凸部と、前記カム板の裏面に設ける凸部又は凹部とを係合させると共に、前記支軸の他方の端部を前記本体ケースの裏面から突出し、この突出した端部にスプリング部材を装着して、前記支軸の他方の端部を前記本体ケースの表面に押圧することで前記支軸の回転を防止する構成としたことを特徴としている。【００１４】  上記の構成を有する請求項３に係る考案によれば、互いに係合する凹凸部を有する本体ケースの表面とカム板とが密着して、ゼンマイバネの一端が固着される支軸の回転を防止する引戸用ドアクローザとすることができる。さらに、支軸を引き出すことで、カム板を回転してゼンマイバネのバネ力を調整することができる。【００１５】  請求項４に係る考案は、前記スプリング部材が円錐バネあるいは皿バネであることを特徴としている。【００１６】  上記の構成を有する請求項４に係る考案によれば、本体ケースの裏面に装着されるスプリング部材が軸方向の長さの短い円錐バネあるいは皿バネとしたので、小型で簡単な構成の引戸用ドアクローザとすることができる。【００１７】  請求項５に係る考案は、前記カム板に把手部を設けて、前記把手部を把持して軸方向に移動することで、前記本体ケースと前記カム板との係合関係を解除する構成としていることを特徴としている。【００１８】  上記の構成を有する請求項５に係る考案によれば、把手部を押し込むか又は引き上げる操作でカム板を所定量回転し、容易に任意のバネ力に調整することができる。
【考案の効果】
【００１９】  本考案によれば、ゼンマイバネを内蔵するドラムに、一端を固着してワイヤを巻回し、前記ワイヤの自由端を引戸に接続して、開かれた引戸を前記ゼンマイバネのバネ力により閉止する構成のドアクローザにおいて、本体ケースの表面と裏面とを貫通して回転自在に軸支される支軸を軸方向の前後いずれかに移動して、カム板の回転を防止している係止手段を解除する構成としたので、支軸をその軸方向に移動するという簡単な操作で、カム板の固定と回転を選択可能な引戸用ドアクローザを得ることができる。
【考案を実施するための最良の形態】
【００２０】  以下、本考案に係る引戸用ドアクローザの実施の形態について、図１から図４に基づいて詳細に説明する。【００２１】  図１は本考案に係る引戸用ドアクローザの一例を示し、（ａ）は全体正面図であり、（ｂ）はＡ−Ａ断面を示す側面図である。図２は本考案に係る引戸用ドアクローザの別の例を示し、（ａ）は全体正面図であり、（ｂ）はＢ−Ｂ断面を示す側面図である。図３は本考案に係わる支軸を含む一部拡大側面図である。図４は本考案に係る引戸用ドアクローザの用途例を示す概略説明図である。【００２２】  図４に示すように本考案に係る引戸用ドアクローザ１は、ゼンマイバネを内蔵するドラムに、一端を固着してワイヤを巻回し、前記ワイヤの自由端を引戸に接続して、開かれた引戸を前記ゼンマイバネのバネ力により閉止する構成のドアクローザである。そのために、開かれた引戸３０をゼンマイバネのバネ力により閉止する方向（図中のＸ方向）に付勢力が作用し、バネ力を適当な大きさに調整することで、一旦開いた引戸３０を自動的に閉止することも可能となる。【００２３】  次に、図１により引戸用ドアクローザ１Ａについて説明する。
この引戸用ドアクローザ１Ａは、前記ゼンマイバネを内蔵するドラムを支持する支軸３を押し込む方向に移動して、前記支軸３の先端に装着されているカム板５Ａの回転を防止する係止手段の係合を解除する引戸用ドアクローザである。【００２４】  前記引戸用ドアクローザ１Ａは、箱型の本体ケース２と、該本体ケース２内に収納されるゼンマイバネ４と、前記ゼンマイバネ４の一端が固着されると共に前記本体ケース２の表面２ａと裏面２ｂとを貫通して回転自在に軸支される支軸３と、前記支軸３の一方の端部３Ａを前記本体ケース２の表面２ａから突出させて該突出する一方の端部３Ａにカム板５と、前記ゼンマイバネ４を内蔵するドラム６と、該ドラム６に一端を固着されて巻回されるワイヤ７を備えている。そして、前記ワイヤ７の先端部に係止片７１を設けると共にフック７０が形成されており、該フック７０を前述した引戸３０に固着して、引戸の開閉に応じて前記ワイヤが引き出され、また巻き戻される構成である。【００２５】  また、前記カム板５は、その外周部に複数の嘴状部５１（本実施の形態では三箇所）を円周上等配して設けており、該嘴状部５１に係合する爪片８Ｂを有する爪部材８により前記カム板５の回転を停止する構成である。カム板５の回転を停止すると、前記カム板５が固着されている前記支軸３の回転を停止することになる。すなわち、前記爪部材８と前記嘴状部５１とで前記カム板５の回転を防止する係止手段を構成し、該係止手段によって、支軸３を固定して所定のゼンマイバネのバネ力に設定することができる。【００２６】  さらに、前記カム板５を備える本体ケース２の表面に、前記カム板５を収納可能な程度の陥没部２０を設けると共に、前記支軸３の前記本体ケースの表面２ａと前記カム板５の間にスプリング部材を装着し、前記カム板５を前記陥没部２０から離間して支持する構成として、前記カム板５を装着している支軸３の一方の端部３Ａ側を押し込むことで、前記爪部材８の爪片８Ｂが前記嘴状部５１から離反して前記係合を解除する構成としている。【００２７】  前記爪部材８は支軸９を介して、本体ケース２に回転自在に軸支されており、さらにバネ材１０により前記嘴状部５１に当接する方向に付勢されていて、逆方向には回転不能に支持されている。【００２８】  そのために、前記爪部材８は常に前記カム板５のカム面に当接している。また、前記カム板５を押し込んで、一旦前記爪部材８との係合関係を解除した後で、前記カム板５を回転して所定のバネ力とする際には、前記爪部材８の一端８Ａを指で支持しながら前記カム板５を戻すことで、新たな係合位置に固定することができる。【００２９】  さらに、前記カム板５の表面には把手部５２を設けており、作業者が押し込んだり、摘んだりする操作を行い易いような構成とされている。また、５３は固着用の取付孔であって、本体ケースの表面２ａに設けるネジ孔（不図示）に前記カム板５を固定するためのものである。【００３０】  前記引戸用ドアクローザ１Ａを壁体等に取り付けるために、取付孔２３を本体ケース２の裏面２ｂに設けている。２２は表面２ａに設ける孔であって、前記取付孔２３に挿通するネジ部材を締め付けるためのドライバを差し込む孔であり、取付孔２３より���大きな孔である。【００３１】  前記引戸用ドアクローザ１Ａは裏面２ｂ部を固定するだけでなく、底面２ｃ部により固定することができるように、前記底面２ｃの延設部にも取付孔２４を設けて、本体ケース２の裏面２ｂと底面２ｃのどちらによっても取付可能な構成とされている。【００３２】  また、本体ケース２を貫通している支軸３の一方の端部３Ａに装着されるカム板５を前記本体ケース２の表面２ａ側に押圧するために、前記陥没部２０にスプリング部材を装着している。前記スプリング部材として本実施の形態においては円錐バネあるいは皿バネＳＷを採用した。そのために、前記陥没部２０の深さが小さくても、所定のバネ力を発揮する円錐バネあるいは皿バネＳＷを用いるので、所定の押圧力で支軸３を押し込み可能とすることができる。また、前記陥没部２０の深さが小さくてもよいので軸方向の長さを短くすることができ、コンパクトな形状のドアクローザとすることができる。【００３３】  また、本体ケース２の裏面２ｂ部にも陥没部２１を設けている。前記陥没部２１は前記支軸３の後方の端部３Ｂが、前記裏面２ｂから突出しない深さの陥没部である。さらに、前記陥没部２１を、支軸３を押し込んだ際に、前記裏面２ｂから突出しない程度の深さとしておけば、前記裏面全面を壁体等に密着して引戸用ドアクローザ１Ａを固定することができ好適である。【００３４】  つまり、円錐バネあるいは皿バネＳＷの変形量だけ前記支軸３及びカム板５を押し込むと、カム板５の嘴状部５１が前記爪部材８から離反するよう設計されているので、この状態でカム板５を回転させることができる。すなわち、前記ドアクローザ１Ａの引戸を閉止するバネ力を調整することができる。【００３５】  上記のような構成としているので、本考案に係る引戸用ドアクローザ１Ａは、カム板５を押し込んで所定量回転して引き戻すという簡単な操作で、所望のバネ力に容易に調整することができる。【００３６】  次に、図２により引戸用ドアクローザ１Ｂについて説明する。また、各部の符号は特徴的な部材を省いて上記で説明した符号と同一の符号を用いている。前記引戸用ドアクローザ１Ｂは、支軸を引き出す方向に移動して係止手段の係合を解除する引戸用ドアクローザであって、箱型の本体ケース２Ａと、該本体ケース２Ａ内に収納されるゼンマイバネ４と、前記ゼンマイバネ４の一端が固着されると共に前記本体ケース２Ａの表面２Ａａと裏面２Ａｂとを貫通して回転自在に軸支される支軸３と、前記支軸３の一方の端部３Ａを前記本体ケース２の表面２ａから突出させて該突出する一方の端部３Ａにカム板５Ａと、前記ゼンマイバネ４を内蔵するドラム６と、該ドラム６に一端を固着されて巻回されるワイヤ７を備えている。またワイヤ７の先端部に設けるフック７０を前述した引戸３０に固着して、引戸の閉止する方向に付勢することは同じである。【００３７】  また、引戸用ドアクローザ１Ｂを壁体等に取り付けるための取付孔２３を前記裏面２ｂに設けていることも、底面２ｃの延設部に取付孔２４を設けることも、引戸用クローザ１Ａで説明したことと同様である。【００３８】  次に、本実施の形態におけるゼンマイバネ４の回り止めについて説明する。本体ケース２Ａの表面２Ａａに複数の凹部２５を設け、前記カム板５Ａの裏面５Ａａに設ける複数の凸部１１が係合する構成とした。つまり、前記凹部２５と前記凸部１１が係合する位置で、前記本体ケース２Ａの表面２Ａａと前記カム板５Ａの裏面５Ａａとが密着する構成としている。【００３９】  また、本体ケース２Ａを貫通している前記支軸３の他方の端部３Ｂを前記本体ケース２Ａの裏面２Ａｂから突出し、この突出した端部３Ｂにスプリング部材、例えば円錐バネあるいは皿バネＳＷを装着して、前記支軸３の一方の端部３Ａに装着されるカム板５Ａを前記本体ケース２Ａの表面２Ａａ方向に押圧する方向に付勢している。【００４０】  さらに、前記カム板５Ａに把手部５４を設けて、前記把手部５４を把持して引き上げることで、前記カム板５Ａを、前記円錐バネあるいは皿バネＳＷの付勢力に抗して、前記本体ケース２Ａから持ち上げて離反することができる。【００４１】  そのために、前記把手部５４を把持して引き上げることで、前記カム板５Ａの凸部１１を前記本体ケース２Ａの凹部２５から引き出すことができ、前記カム板５Ａを回転することができる。【００４２】  また、前記カム板５Ａを所定角度回転して、凸部１１が次の凹部２５に至った時に、前記把手部５４を把持している力を緩めると、前記円錐バネあるいは円錐バネあるいは皿バネＳＷのバネ力により、前記カム板５Ａが前記本体ケース２Ａの表面２Ａａ方向に付勢されて、凹部と凸部とを係合することができる。このようにして、前記本体ケース２Ａの表面２Ａａに設ける凹部２５と、前記カム板５Ａの裏面５Ａａに設ける凸部１１とが正確に係合して、前記カム板５Ａを固定するので、該カム板５Ａを装着している支軸３の回転を確実に防止することができる。【００４３】  本実施の形態においては、本体ケース２Ａの表面２Ａａに凹部２５として丸穴を四個円周上等配に設けている。つまり、円周上９０°毎に四個の丸穴２５ａ、２５ｂ、２５ｃ、２５ｄを設けている。【００４４】  また、カム板５Ａには、前記丸穴に係合する二個の円弧状凸部１１（１１ａ、１１ｂ）を設けている。前記カム板５Ａは、矩形状または矩形状の端部を円弧状とした長円形に様な形状としており、その直径方向に当たる二箇所に前記円弧状凸部１１ａ、１１ｂを設けている。そのために、図中に示す位置にあって、円弧状凸部１１ａが丸穴２５ａに係合し、円弧状凸部１１ｂが丸穴２５ｄに係合した状態のカム板ＳＡを持ち上げて９０°時計回転方向に回転すると、円弧状凸部１１ａが丸穴２５ｂに係合し、円弧状凸部１１ｂが丸穴２５ｃに係合した状態となり、再度固定される。この時、カム板５Ａを一旦持ち上げて回転しだすと、円弧状凸部が本体ケース２Ａの表面２Ａａ上を滑りながら回転するので、持ち上げる力は必要ない。また、持ち上げる方向に力を付与せずに、ただ回転するだけで、次の丸穴部に到達すれば、前記円錐バネあるいは皿バネＳＷのバネ力により、前記凸部が丸穴部に落ち込んで自動的に位置固定される。【００４５】  前記スプリング部材としては、円錐バネあるいは皿バネＳＷに限らず、コイルバネでも使用可能であるが、本考案のように円錐バネあるいは皿バネＳＷを用いると、軸方向の長さを短くすることができ、前記端部３Ｂの突出長さを最小限に抑えることができる。【００４６】  また、本体ケース２Ａの裏面２Ａｂに陥没部２１を設けて、前記裏面２Ａｂから突出する前記３Ｂを収容する構成としているので、箱型形状の本体ケース２Ａの裏面部に突出部が現れない。【００４７】  上記のような構成としているので、本考案に係わる引戸用ドアクローザ１Ｂは、小型で簡単な構成であり、また、把手部を把持してカム板５Ａを引き上げて所定量回転させる操作で、引戸を閉止するバネ力を容易に調整可能となる。【００４８】  また、前記本体ケースの表面に凹部ではなく凸部を設け、前記カム板の裏面に凸部ではなく凹部を設けて、前記凸部と前記凹部を係合させることも可能である。すなわち。前記本体ケースの表面に設ける凹部又は凸部と、前記カム板の裏面に設ける凸部又は凹部とを係合させて前記支軸の回転を防止する構成とすることができる。【００４９】  さらに、本体ケース２Ａの表面２Ａａの所定位置に複数のネジ孔２７を設けておき、前記カム板５Ａを止めネジ２６により固定する構成とすれば、何かの拍子に物が接触しても、その衝撃でカム板５Ａが回されることがなく、さらに好ましい。【００５０】  上記したように本実施の形態によれば、ゼンマイバネのバネ力を調整する際に、力を急に抜いたりしても、本体ケースとカム板とが空回りせずに、所定角度毎（本実施の形態においては９０°毎）に、確実に前記凹部と凸部とが係合して回転停止するものである。そのために、非力な人でも容易に操作可能であり、女性や高齢者でも安心して操作することのできる引戸用ドアクローザを得ることができる。【００５１】  上記したように本考案によれば、本体ケースの表面と裏面とを貫通して回転自在に軸支される支軸を軸方向の前後いずれかに移動して、カム板の回転を防止している係止手段を解除する構成としたので、支軸をその軸方向に移動するという簡単な操作で、カム板の固定と回転を選択可能となり、簡単な構成でしかも容易な操作で任意のバネ力に調節可能な引戸用ドアクローザとすることができる。
【図面の簡単な説明】
【００５２】
【図１】  本考案に係る引戸用ドアクローザの第一の例を示し、（ａ）は全体正面図であり、（ｂ）はＡ−Ａ断面を示す側面図である。
【図２】  本考案に係る引戸用ドアクローザの第二の例を示し、（ａ）は全体正面図であり、（ｂ）はＢ−Ｂ断面を示す側面図である。
【図３】  本考案に係わる支軸を含む一部拡大側面図である。
【図４】  本考案に係る引戸用ドアクローザの用途例を示す概略説明図である。
【符号の説明】
【００５３】          １、１Ａ、１Ｂ  引戸用ドアクローザ
２，２Ａ  本体ケース
３  支軸
４  ゼンマイバネ
５，５Ａ  カム板
７  ワイヤ
ＳＷ  円錐バネあるいは皿バネ
【図１】
0003114004.tif 000003
【図２】
0003114004.tif 000004
【図３】
0003114004.tif 000005
【図４】
0003114004.tif 000006